(57)【要約】【課題】ピット（電線共同溝）内においてラック（棚）のみを簡単に取り替えられる構造にすることで、腐食したラックでも容易かつ短時間に取り替えることができる。【解決手段】側壁５５に開けた長穴に差し込む筒形状のケーブルラックアダプター１と、ケーブルラックアダプター１に、着脱自在に差し込めるラック本体部３とこのラック本体部３に連続した、ケーブル５３を載せるケーブル載置部６とから成るラック２と、を備え、ラック本体部３に設けた係合部４を、ケーブルラックアダプター１の係合凹部５に着脱自在に係合させるように構成した。【選択図】図１
2010166726.tif 000002
【特許請求の範囲】
【請求項１】
ケーブル用ピット（５１）の側壁（５５）に取り付けるケーブル用ラックであって、
前記側壁（５５）に開けた長穴に差し込む筒形状のケーブルラックアダプター（１）と、
前記ケーブルラックアダプター（１）に、着脱自在に差し込めるラック本体部（３）とこのラック本体部（３）に連続した、ケーブル（５３）を載せるケーブル載置部（６）とから成るラック（２）と、を備え、
前記ラック本体部（３）に設けた係合部（４）を、前記ケーブルラックアダプター（１）の係合凹部（５）に着脱自在に係合させるように構成した、ことを特徴とする脱着式ケーブル用ラック。
【請求項２】
前記ラック本体部（３）の係合部（４）は、該ラック本体部（３）の軸方向と直交する方向へ向けて開けたボール穴（７）内にばね（８）とボール（９）を順番に収納し、該ばね（８）の弾性力でボール（９）を出没自在にラック本体部（３）の外周側へ押圧するように構成したものである、ことを特徴とする請求項１の脱着式ケーブル用ラック。
【請求項３】
ケーブル用ピット（５１）の側壁（５５）に取り付けるケーブル用ラックであって、
前記側壁（５５）に開けた長穴に差し込む円筒形状のケーブルラックアダプター（１）と、
前記ケーブルラックアダプター（１）の最奥部の略中心部に設けたナット部（２１）と、
前記ケーブルラックアダプター（１）に、着脱自在に差し込めるラック本体部（３）とこのラック本体部（３）に連続した、ケーブル（５３）を載せるケーブル載置部（６）とから成るラック（２）と、を備え、
前記ラック本体部（３）の後端部にその軸方向に突出するように設けたボルト部（２２）を、前記ケーブルラックアダプター（１）のナット部（２１）に着脱自在に螺合させるように構成した、ことを特徴とする脱着式ケーブル用ラック。
【請求項４】
ケーブル用ピットの側壁に取り付けるケーブル用ラックであって、
前記側壁に開けた長穴に差し込む円筒形状のケーブルラックアダプターと、
前記ケーブルラックアダプターの最奥部の略中心部に、その軸方向に突出するように設けたボルト部と、
前記ケーブルラックアダプターに、着脱自在に差し込めるラック本体部とこのラック本体部に連続した、ケーブルを載せるケーブル載置部とから成るラックと、を備え、
前記ラック本体部の後端部に設けたナット部を、前記ケーブルラックアダプターのボルト部に着脱自在に螺合させるように構成した、ことを特徴とする脱着式ケーブル用ラック。
【請求項５】
前記ラック（２）の一部に、その外周方向へ突出する部材から成るストッパ（１０）を形成した、ことを特徴とする請求項３又は４の脱着式ケーブル用ラック。
【請求項６】
ケーブル用ピット（５１）の側壁（５５）に取り付けるケーブル用ラックであって、
前記側壁（５５）に開けた長穴に差し込む筒形状のケーブルラックアダプター（１）と、
前記ケーブルラックアダプター（１）の最奥部に設けた、途中に抜止部（３３）を有する差込金具凹部（３１）と、
前記ケーブルラックアダプター（１）に、着脱自在に差し込めるラック本体部（３）とこのラック本体部（３）に連続した、ケーブル（５３）を載せるケーブル載置部（６）とから成るラック（２）と、
前記ラック本体部（３）の先端に設けた、括れ部（３４）を有する差込金具凸部（３２）と、を備え、
記ラック本体部（３）の差込金具凸部（３２）を、前記ケーブルラックアダプター（１）の差込金具凹部（３１）に着脱自在に嵌合させるように構成した、ことを特徴とする脱着式ケーブル用ラック。
【請求項７】
ケーブル用ピットの側壁に着脱自在に取り付けるケーブル用ラックであって、
前記側壁に開けた長穴に差し込んだ筒形状のケーブルラックアダプターと、
前記ケーブルラックアダプターの最奥部に設けた、途中に括れ部を有する差込金具凸部と、
前記ケーブルラックアダプターに、着脱自在に差し込めるラック本体部とこのラック本体部に連続した、ケーブルを載せるケーブル載置部とから成るラックと、
前記ラック本体部の先端に設けた、抜止部を有する差込金具凹部と、を備え、
前記ラック本体部の差込金具凹部を、前記ケーブルラックアダプターの差込金具凸部に着脱自在に嵌合させるように構成した、ことを特徴とする脱着式ケーブル用ラック。
【発明の詳細な説明】
【技術分野】
【０００１】
本発明は、多数のケーブルを載せるラックに係り、特に電線共同溝等のピット内に設けられる脱着式ケーブル用ラックに関する。
【背景技術】
【０００２】
電線共同溝等のピット５１内に設けられているケーブル用ラック５２は、図９の全体断面図と図１０の拡大断面図に示すように、ケーブル５３を載せる複数本のラック５２を取り付けた支柱５４を、ピット５１の側壁５５に固定したものである。これを固定する際に、ピット５１の側壁５５に穴を開け、この穴にホールインアンカー５６を埋め込む。このホールインアンカー５６にボルト５７を螺合して支柱５４を取り付ける。最後にピット５１内に蓋５８をする。
【０００３】
このようなピット内においてケーブルを載せるラック（受け棚）に関する技術が種々提案されている。例えば、特許文献１の特開２０００−２５３５５２号公報「電線共同溝用ハンドホール部」に示すように、電線共同溝の途中に上部が開口したボックスが設けられ、前記ボックスの側壁に上下方向に複数段にケーブル受け棚が設けられている電線共同溝用ハンドホール部において、前記ボックスの側壁の所定の位置の上下の複数箇所にインサートナットがそのネジ孔を前記ボックス内のハンドホール空間に開口させて埋め込み設置され、前記上下複数箇所のインサートナットに螺合した取付けボルトにより縦向き金物が取付けられ、前記縦向き金物には上下方向に所定間隔で多数の棚取付け孔が設けられ、任意の前記棚取付け孔に前記ケーブル受け棚が取付けられる電線共同溝用ハンドホール部が提案されている。
【特許文献１】特開２０００−２５３５５２号公報
【発明の開示】
【発明が解決しようとする課題】
【０００４】
しかし、図示したようなケーブル用ラック５２では、ラック５２自体が腐食して、このれを側壁５５に取り付けているボルト５７等も錆び、取替えに際して外れなくなることがあった。そのときは、ボルト５７又は支柱５４自体を切断して、支柱５４を側壁５５から外していた。その後、新たなラック５２と支柱５４は、既存のものの固定位置からずらして取り付けていた。そのために、従来のケーブル用ラック５２は非常に煩雑な作業を強いられるという問題を有していた。
【０００５】
また、特許文献１の「電線共同溝用ハンドホール部」でも、ピット内に雨水が貯まり、ボルト・ナット等が腐食しやすいので、新たなものに取り替える際に上述した煩雑な作業を強いられ、かなりの労力と予算がかかるという問題を有していた。
【０００６】
本発明は、かかる問題点を解決するために創案されたものである。すなわち、本発明の目的は、ピット内においてラックのみを簡単に取り替えられる構造にすることで、腐食したラックでも容易かつ短時間に取り替えることができる脱着式ケーブル用ラックを提供することにある。
【課題を解決するための手段】
【０００７】
本発明によれば、ケーブル用ピット（５１）の側壁（５５）に取り付けるケーブル用ラックであって、前記側壁（５５）に開けた長穴に差し込む筒形状のケーブルラックアダプター（１）と、前記ケーブルラックアダプター（１）に、着脱自在に差し込めるラック本体部（３）とこのラック本体部（３）に連続した、ケーブル（５３）を載せるケーブル載置部（６）とから成るラック（２）と、を備え、前記ラック本体部（３）に設けた係合部（４）を、前記ケーブルラックアダプター（１）の係合凹部（５）に着脱自在に係合させるように構成した、ことを特徴とする脱着式ケーブル用ラックが提供される。
例えば、前記ラック本体部（３）の係合部（４）は、該ラック本体部（３）の軸方向と直交する方向へ向けて開けたボール穴（７）内にばね（８）とボール（９）を順番に収納し、該ばね（８）の弾性力でボール（９）を出没自在にラック本体部（３）の外周側へ押圧するように構成したものである。
【０００８】
または、ケーブル用ピット（５１）の側壁（５５）に取り付けるケーブル用ラックであって、前記側壁（５５）に開けた長穴に差し込む円筒形状のケーブルラックアダプター（１）と、前記ケーブルラックアダプター（１）の最奥部の略中心部に設けたナット部（２１）と、前記ケーブルラックアダプター（１）に、着脱自在に差し込めるラック本体部（３）とこのラック本体部（３）に連続した、ケーブル（５３）を載せるケーブル載置部（６）とから成るラック（２）と、を備え、前記ラック本体部（３）の後端部にその軸方向に突出するように設けたボルト部（２２）を、前記ケーブルラックアダプター（１）のナット部（２１）に着脱自在に螺合させるように構成することができる。
これらのボルト部（２２）とナット部（２１）とは逆の配置にすることができる。
前記ラック（２）の一部に、その外周方向へ突出する部材から成るストッパ（１０）を形成することが好ましい。
【０００９】
あるいは、ケーブル用ピット（５１）の側壁（５５）に取り付けるケーブル用ラックであって、前記側壁（５５）に開けた長穴に差し込む筒形状のケーブルラックアダプター（１）と、前記ケーブルラックアダプター（１）の最奥部に設けた、途中に抜止部（３３）を有する差込金具凹部（３１）と、前記ケーブルラックアダプター（１）に、着脱自在に差し込めるラック本体部（３）とこのラック本体部（３）に連続した、ケーブル（５３）を載せるケーブル載置部（６）とから成るラック（２）と、前記ラック本体部（３）の先端に設けた、括れ部（３４）を有する差込金具凸部（３２）と、を備え、記ラック本体部（３）の差込金具凸部（３２）を、前記ケーブルラックアダプター（１）の差込金具凹部（３１）に着脱自在に嵌合させるように構成することができる。
これらの差込金具凸部（３２）と差込金具凹部（３１）とは逆の配置にすることができる。
【発明の効果】
【００１０】
上記構成の発明では、ラック本体部（３）に構成した係合部（４）の出没自在になるボール（９）を、ケーブルラックアダプター（１）の係合凹部（５）に係合させることで、ラック（２）を容易に固定することができる。即ち、ラック（２）をそのラック本体部（３）からケーブルラックアダプター（１）に差し込むだけで、従来の支柱を用いることなくラック（２）をピット（５１）の側壁（５５）に固定できる。
このラック（２）が腐食して取替える際には、ラック（２）のみを引き抜き、新しいラック（２）を差し込むことで簡単に取替えることができる。
【００１１】
ラック本体部（３）に設けたボルト部（２２）又はナット部を、ケーブルラックアダプター（１）のナット部（２１）又はボルト部に螺合させるように構成したケーブル用ラックでは、ケーブルラックアダプター（１）にラック（２）をそのラック本体部（３）に差し込み、更にラック（２）を回転させることにより、ラック（２）をピット（５１）の側壁（５５）に容易に固定できる。特にボルト部（２２）とナット部（２１）との螺合により、確実に固定することができる。
このラック（２）が腐食して取替える際に、ラック（２）を回転させて抜き取り、新しいラック（２）を差し込み、かつ回転させることで簡単に取替えることができる。このラック（２）を回転させる際に、ラック（２）の一部に形成したストッパ（１０）をレバーとして用いることも可能である。
【００１２】
更に、ラック本体部（３）に設けた差込金具凸部（３２）又は差込金具凹部を、ケーブルラックアダプター（１）の差込金具凹部（３１）又は差込金具凸部に着脱自在に係合させるように構成したケーブル用ラックでは、ケーブルラックアダプター（１）にラック（２）をそのラック本体部（３）に差し込むことにより、ラック（２）をピット（５１）の側壁（５５）に容易かつ迅速に固定できる。
【発明を実施するための最良の形態】
【００１３】
本発明の脱着式ケーブル用ラックは、ケーブル用ピットの側壁に設けた筒形状のケーブルラックアダプターにラックを着脱自在に差し込めるように構成したものである。
【実施例１】
【００１４】
以下、本発明の好ましい実施の形態を図面を参照して説明する。
図１は実施例１の脱着式ケーブル用ラックを取り付けたピット内を示す断面図である。図２は実施例１の脱着式ケーブル用ラックを示し、（ａ）は一部省略した拡大断面図、（ｂ）はケーブルラックアダプター内の拡大側面図である。
実施例１の脱着式ケーブル用ラックは、ケーブル用ピット５１の側壁５５に設けたケーブルラックアダプター１に、着脱自在に差し込めるラック２とを備えたものである。実施例１のケーブル用ラックは、ラック本体部３に設けた係合部４を、ケーブルラックアダプター１の係合凹部５に着脱自在に係合させるように構成した。
【００１５】
ケーブルラックアダプター１は、硬質ビニール管又は強化プラスチック製の筒形状の部材から成り、腐食しないものが好ましい。ラック２の挿抜を容易にするためである。このケーブルラックアダプター１は、ピット５１の基礎設置の際に同時に施工することができる。例えばピット５１の施工時に、側壁５５に開けた長穴にケーブルラックアダプター１を差し込み装着する。但し、既存のピット５１では、ドリルで側壁５５に穴を開け、これにケーブルラックアダプター１を差し込む。
【００１６】
ラック２は、ケーブルラックアダプター１に着脱自在に差し込まれるラック本体部３とこのラック本体部３に連続したケーブル載置部６とから成る。ケーブル載置部６はケーブル５３を載せる部分である。このラック２は金属製の部材にめっき処理したものである。例えば鉄製のラック２に亜鉛めっきしたものがある。
【００１７】
なお、ケーブルラックアダプター１全体の形状は、円筒形状に形成することが好ましい。長期間の経過後にラック２を抜き取る際に、ラック２をその軸方向を回転中心線にして一旦回転させることにより、ラック本体部３とケーブルラックアダプター１内壁面との密着力を低下させることができるからである。
但し、ケーブルラックアダプター１の形状は、円筒形状に限らず横断面が楕円形、六角形状又は四角形状その他の角形状に形成することもできる。これらのケーブルラックアダプター１の形状に、ラック本体部３の形状を合わせることは勿論である。
【００１８】
実施例１のケーブルラックアダプター１の筒内に形成した係合凹部５は、ラック本体部３の係合部４を係合させる部分である。例えば、図示するように、円筒状のケーブルラックアダプター１の奥位置に係合凹部５を形成した。この係合凹部５の位置はこのケーブルラックアダプター１の奥位置に限定されない。このケーブルラックアダプター１の途中に形成することもできる。また、上向きに限定されず例えば下向き、横向きでもよい。
【００１９】
ラック本体部３の係合部４は、このラック本体部３の軸方向と直交する方向へ向けて開けたボール穴７内に例えばコイルばねのようなばね８とボール９を順番に収納したものである。このばね８の弾性力でボール９を出没自在にラック本体部３の外周側へ押圧するように構成した。ボール穴７の開口部はばね８が外れないように、ボール９の外径より短い内径を有する。これらのボール９、ばね８は例えばステンレス等の酸化しない材料が適している。
【００２０】
ラック２には、その外周方向へ突出する部材から成るストッパ１０を形成した。このストッパ１０は文字通りラック２をケーブルラックアダプター１の開口から差し込む際に、その位置決めとして機能する部材である。このストッパ１０は、例えば図２に示すように、ラック２のラック本体部３とケーブル載置部６との中間位置に棒状の部材を下方に向けて取り付けたものである。この棒状の部材からなるストッパ１０は、ケーブルラックアダプター１の長さ（ピット５１の側壁５５の厚さ）に応じて、位置を移動させるように構成することができる。例えば、ラック２に複数の差込み穴を開け、この何れかの差込み穴にストッパ１０を螺合又は差し込む構成にすることができる。
【００２１】
図３はラックをケーブルラックアダプターに取り付ける状態を示す一部断面図であり、（ａ）は取り付ける前の状態、（ｂ）はラックをケーブルラックアダプターに差し込んだ状態、（ｃ）は取り付けが完了した状態である。
実施例１の脱着式ケーブル用ラックを取り付ける方法を説明する。先ず、図３（ａ）に示すように、ケーブルラックアダプター１の開口に、ラック２をそのラック本体部３から差し込む。このとき係合部４のボール９は、図３（ｂ）に示すように、ばね８によりボール穴７内に沈み、ラック本体部３をケーブルラックアダプター１において移動させることができる。
【００２２】
図３（ｃ）に示すように、ラック２をケーブルラックアダプター１に最後まで差し込むと、係合部４のボール９が係合凹部５に到達し、このボール９はばね８により浮き上がり、係合凹部５内に係合して抜け止めとしての機能を果たす。ラック２を最後まで差し込んだかどうかは、ストッパ１０がケーブルラックアダプター１の開口に当たることでも確認できる。
このラック２を取替える際に、抜き取るときも係合部４のボール９は、図３（ｂ）に示したように、ばね８によりボール穴７内に沈み、ラック本体部３をケーブルラックアダプター１において移動させ、抜き取ることができる。
【００２３】
図４はラックのストッパの他の形態を示す全体正面図であり、（ａ）は略三角形状のストッパ、（ｂ）は一部湾曲した三角形状のストッパである。
ストッパ１０は、上述した棒状の部材に限定されず、例えば図４に示すように、略三角形状又は湾曲した一辺を有する三角形状に形成することができる。この変形例のストッパ１０でも、ケーブルラックアダプター１の長さ（ピット５１の側壁５５の厚さ）に応じて、位置を移動させるように構成することが好ましい。例えば、三角形状のスットパ１０に突起（図示していない）を形成し、この突起をラック２に開けた複数の穴に挿抜自在に係合させ得るように構成することができる。
【実施例２】
【００２４】
図５は実施例２の脱着式ケーブル用ラックを示す一部省略した拡大断面図である。
実施例２の脱着式ケーブル用ラックは、ねじ切りされたナット部２１を最奥部の略中心部に設けたケーブルラックアダプター１と、このケーブルラックアダプター１に着脱自在に差し込めるラック２とを備えたものである。このラック２は、ラック本体部３とこのラック本体部３に連続したケーブル載置部６とから成り、このラック本体部３の後端部にその軸方向に突出するようにボルト部２２を設けたものである。このボルト部２２をケーブルラックアダプター１のナット部２１に着脱自在に螺合させる。
【００２５】
これらのボルト部２２とナット部２１とは逆の配置にすることができる（図示していない）。即ち、ラック本体部３にナット部２１を、ケーブルラックアダプター１にボルト部２２を形成することも可能である。
【００２６】
また、実施例２の脱着式ケーブル用ラックについても、ケーブルラックアダプター１は、硬質ビニール管又は強化プラスチック製の筒形状の部材から成り、腐食しないものとする。また、ラック２は金属製の部材にめっき処理したものである。
【００２７】
図６はラックをケーブルラックアダプターに取り付ける状態を示す一部断面図であり、（ａ）は取り付ける前の状態、（ｂ）はラックをケーブルラックアダプターに差し込み、回転させている状態、（ｃ）は取り付けが完了した状態である。
実施例２の脱着式ケーブル用ラックを取り付ける方法を説明する。先ず、図６（ａ）に示すように、ケーブルラックアダプター１の開口に、ラック２をそのラック本体部３から差し込む。次に図６（ｂ）に示すように、ラック２を例えば右回りに回転させ、これによりラック本体部３のボルト部２２が、ケーブルラックアダプター１のナット部２１に螺合する。
図６（ｃ）に示すように、更にラック２を回転させると螺合が完了する。
【００２８】
このラック２を取り替える際には、ラック２を例えば左回りに回転させ、図６（ｂ）に示したように、ナット部２１からボルト部２２を外して抜き取ることができる。このラック２を回転させる際に、ラック２の一部に形成したストッパ１０をレバーとして用いることで容易にラック２を回転させて取り付け、取り外しを迅速に行なうことができる。
【実施例３】
【００２９】
図７は実施例３の脱着式ケーブル用ラックを示し、（ａ）は一部省略した拡大断面図、（ｂ）はケーブルラックアダプター内の拡大側面図、（ｃ）は差込金具凸部の拡大斜視図である。
実施例３の脱着式ケーブル用ラックは、差込金具凹部３１を設けたケーブルラックアダプター１と、これに着脱自在に差し込める差込金具凸部３２を具備したラック２とを備えたものである。ラック２は、ラック本体部３とこのラック本体部３に連続したケーブル載置部６とから成り、ラック本体部３の一端に差込金具凸部３２を形成した。
【００３０】
ケーブルラックアダプター１の最奥部に設けた差込金具凹部３１は、途中に抜止部３３を弾性部材で構成し、ラック本体部３の差込金具凸部３２の括れ部分３４が抜けづらいようになっている。そこで、ラック本体部３の差込金具凸部３２を、ケーブルラックアダプター１の差込金具凹部３１に着脱自在に嵌合させることができる。
これらの差込金具凸部３２と差込金具凹部３１とは逆の配置にすることができる（図示していない）。即ち、ラック本体部３に差込金具凹部３１を設け、ケーブルラックアダプター１に差込金具凸部３２を設けることも可能である。また、何れかの抜止部３３又は括れ部分３４が板ばねのような弾性部材であれば、容易に係合させることができる。なお、この弾性部材による構成は、新品に容易に取り替えることができるラック２側に設けることが好ましい。
【００３１】
実施例３の脱着式ケーブル用ラックについても、ケーブルラックアダプター１は、硬質ビニール管又は強化プラスチック製の筒形状の部材から成り、腐食しないものとする。また、ラック２も金属製の部材にめっき処理したものを用いる。
【００３２】
図８は実施例３ラックをケーブルラックアダプターに取り付ける状態を示す一部断面図であり、（ａ）は取り付ける前の状態、（ｂ）は取り付けが完了した状態である。
実施例３の脱着式ケーブル用ラックを取り付ける方法を説明する。先ず、図８（ａ）に示すように、ケーブルラックアダプター１の開口に、ラック２をそのラック本体部３から差し込む。次に図８（ｂ）に示すように、ラック２をそのまま最後まで押込む。このとき、ラック本体部３に設けた差込金具凸部３２が、ケーブルラックアダプター１の差込金具凹部３１に係合して、ラック２を固定できる。
【００３３】
このラック２を取り替える際には、ラック２をそのまま抜き取り、新しいラック２を差し込む。この実施例３の脱着式ケーブル用ラックは、非常に簡単な構造でありはコストもかからず、既設のラック２を改造しやすい。
【００３４】
なお、本発明は、ピット５１内においてラック２のみを簡単に取り替えられる構造にすることで、腐食したラック２でも容易かつ短時間に取り替えることができれば、上述した発明の実施の形態に限定されず、本発明の要旨を逸脱しない範囲で種々変更できることは勿論である。
【産業上の利用可能性】
【００３５】
本発明の脱着式ケーブル用ラックは、電線ケーブル専用のピットに限らず、電線以外の電話線等も収納する電線共同溝に利用することができる。
【図面の簡単な説明】
【００３６】
【図１】実施例１の脱着式ケーブル用ラックを取り付けたピット内を示す断面図である。
【図２】実施例１の脱着式ケーブル用ラックを示し、（ａ）は一部省略した拡大断面図、（ｂ）はケーブルラックアダプター内の拡大側面図である。
【図３】ラックをケーブルラックアダプターに取り付ける状態を示す一部断面図であり、（ａ）は取り付ける前の状態、（ｂ）はラックをケーブルラックアダプターに差し込んだ状態、（ｃ）は取り付けが完了した状態である。
【図４】ラックのストッパの他の形態を示す全体正面図であり、（ａ）は略三角形状のストッパ、（ｂ）は一部湾曲した三角形状のストッパである。
【図５】実施例２の脱着式ケーブル用ラックを示す一部省略した拡大断面図である。
【図６】ラックをケーブルラックアダプターに取り付ける状態を示す一部断面図であり、（ａ）は取り付ける前の状態、（ｂ）はラックをケーブルラックアダプターに差し込み、回転させている状態、（ｃ）は取り付けが完了した状態である。
【図７】実施例３の脱着式ケーブル用ラックを示し、（ａ）は一部省略した拡大断面図、（ｂ）はケーブルラックアダプター内の拡大側面図と（ｃ）は差込金具凸部の拡大斜視図である。
【図８】実施例３ラックをケーブルラックアダプターに取り付ける状態を示す一部断面図であり、（ａ）は取り付ける前の状態、（ｂ）は取り付けが完了した状態である。
【図９】従来の支柱によりラックを取り付けたピット内を示す断面図である。
【図１０】従来のラックを支持する支柱の固定構造を示す拡大断面図である。
【符号の説明】
【００３７】
１  ケーブルラックアダプター
２  ラック
３  ラック本体部
４  係合部
５  係合凹部
６  ケーブル載置部
７  ボール穴
８  ばね
９  ボール
１０  ストッパ
２１  ナット部
２２  ボルト部
３１  差込金具凹部
３２  差込金具凸部
３３  抜止部
５１  ケーブル用ピット
５３  ケーブル
５５  ピットの側壁
【図１】
2010166726.tif 000003
【図２】
2010166726.tif 000004
【図３】
2010166726.tif 000005
【図４】
2010166726.tif 000006
【図５】
2010166726.tif 000007
【図６】
2010166726.tif 000008
【図７】
2010166726.tif 000009
【図８】
2010166726.tif 000010
【図９】
2010166726.tif 000011
【図１０】
2010166726.tif 000012